(57)【要約】【課題】発電設備内での熱交換器部品の搬入効率及び組立容易性を向上させることができる復水器及びその組立方法を提供する。【解決手段】蒸気タービンからの排気蒸気を冷却し凝縮させる復水器において、蒸気タービンからの排気蒸気を受け入れる復水器本体部１と、この復水器本体部１に組み入れられる熱交換器ユニット２とを有し、上記熱交換器ユニット２は、複数枚の支持板３をユニット化した複数の支持板ブロック４と、これら支持板ブロック４を上記復水器本体部１に順次組み入れた後、支持板３に挿通される複数の冷却管５とを備えていることを特徴とする。【選択図】  図６
2006194457.tif 000002
【特許請求の範囲】
【請求項１】
蒸気タービンからの排気蒸気を冷却し凝縮させる復水器において、
前記蒸気タービンからの排気蒸気を受け入れる復水器本体部と、
この復水器本体部に組み入れられる熱交換器ユニットと
を有し、
前記熱交換器ユニットは、
複数枚の支持板をユニット化した複数の支持板ブロックと、
これら支持板ブロックを前記復水器本体部に順次組み入れた後、前記支持板に挿通される複数の冷却管と
を備えていることを特徴とする復水器。
【請求項２】
請求項１に記載の復水器において、前記支持板ブロックは、自立可能なように複数枚の支持板を列設して構成されていることを特徴とする復水器。
【請求項３】
蒸気タービンからの排気蒸気を受け入れる復水器本体部と、この復水器本体部に組み入れられる熱交換器ユニットとを有し、前記蒸気タービンからの排気蒸気を冷却し凝縮させる復水器の組立方法において、
前記復水器本体部に前記熱交換器ユニットを組み入れる際、
複数枚の支持板をユニット化した複数の支持板ブロックを前記復水器本体部に順次組み入れた後、前記支持板に複数の冷却管を挿通する
ことを特徴とする復水器の組立方法。
【発明の詳細な説明】
【技術分野】
【０００１】
本発明は、蒸気タービンからの排気蒸気を凝縮させる復水器に関する。
【背景技術】
【０００２】
発電設備等に用いられる復水器は、蒸気タービンで仕事をした排気蒸気を復水してボイラ等の蒸気発生器に戻すものである。この種の復水器は、通常、蒸気タービンからの排気蒸気が導かれるその本体部に排気蒸気を冷却する熱交換器ユニットを内蔵している。熱交換器ユニットは複数の冷却管に流通する冷却水と熱交換させることで排気蒸気を冷却し凝縮させる。熱交換器ユニットを構成する冷却管は、一般に冷却管の長手方向に所定間隔に配設された支持板に挿通され支持される。
【０００３】
発電設備等に用いられる復水器は、蒸気タービンからの膨大な排気蒸気を処理するために寸法・重量とも極めて大きな設備の１つに数えられる。したがって、組み立てた状態での輸送は一般道路の輸送制限により困難であり、据付の際には上記の支持板や冷却管等といった部品の状態で出荷され、それらが発電所で組み立てられるのが一般的である。しかしこのいわゆるパネル工法では、支持板や冷却管等がばらばらの状態で数多く発電所に搬入され、現地での組立工数が膨大となる結果、工期が長くなる等の不都合が生じていた。
【０００４】
それに対し、支持板や冷却管をばらばらに出荷し組み立てるのではなく、支持板及び冷却管を組み上げた状態のもの（管巣）を複数に分割して小管巣の状態で出荷し、それらを発電所内で組み立てて復水器本体部に組み入れる方法が知られている（特許文献１等参照）。
【０００５】
【特許文献１】特開２００２−２５７４９２号公報
【発明の開示】
【発明が解決しようとする課題】
【０００６】
近年では、性能向上や経年的な劣化の回復を図り、既設の発電設備をより長期間運用するために、復水器の熱交換器ユニットを交換するケースが増加しつつある。しかしながら、既設の発電設備には各機器やその配管、構造材等が複雑に配設され、復水器までの冷却管の搬入経路も狭隘である場合が多い。このような場合、上記従来技術のように、支持板と冷却管とを組み立てた状態のものでは狭隘な搬入経路を運搬するのも困難である。また、小管巣の状態では、それぞれの冷却管が長手方向に分割されることから短管を数多く製作しなければならない。さらに小管巣同士を連結する際に各冷却管を接続しなければならず、結果的に組立工数が増加する恐れもある。
【０００７】
本発明の目的は、発電設備内での熱交換器部品の搬入効率及び組立容易性を向上させることができる復水器及びその組立方法を提供することにある。
【課題を解決するための手段】
【０００８】
上記目的を達成するために、本発明は、蒸気タービンからの排気蒸気を冷却し凝縮させる復水器において、前記蒸気タービンからの排気蒸気を受け入れる復水器本体部と、この復水器本体部に組み入れられる熱交換器ユニットとを有し、前記熱交換器ユニットは、複数枚の支持板をユニット化した複数の支持板ブロックと、これら支持板ブロックを前記復水器本体部に順次組み入れた後、前記支持板に挿通される複数の冷却管とを備えていることを特徴とする。
【発明の効果】
【０００９】
本発明によれば、発電設備内での熱交換器部品の搬入効率及び組立容易性を向上させることができる。
【発明を実施するための最良の形態】
【００１０】
以下に図面を用いて本発明の実施の形態を説明する。
図１は本発明の一実施の形態に係る復水器の全体構造を表す一部透視側面図、図２は図１中の右側から見た一部透視正面図である。
図１及び図２に示したような発電設備等に適用する復水器は、蒸気タービンで仕事を終えたタービン排気蒸気を冷却水と熱交換させて凝縮させ、凝縮後の復水をボイラ等の蒸気発生器に戻すものであり、蒸気タービンからの排気蒸気を受け入れる復水器本体部１と、この復水器本体部１に組み入れられる熱交換器ユニット２とを有している。
【００１１】
熱交換器ユニット２は、複数枚の支持板（支え板）３をユニット化した複数の支持板ブロック（支え板ブロック）４と、これら支持板ブロック４を復水器本体部１に順次組み入れて接合した後、各支持板３に挿通される複数の冷却管５とを備えている。１つの熱交換器ユニット２毎に、複数の冷却管５は一群をなす管巣６を形成する。本実施の形態では４つの熱交換器ユニット２が並設された例を図示しているが、熱交換器ユニット２の設置数は特に限定されない。
【００１２】
支持板ブロック４は、自立可能なように複数枚の支持板３を列設して構成されている。本実施の形態では、２枚の支持板３で１つの支持板ブロック４を構成するが、さらに多数の支持板３を列設して支持板ブロック４を構成することもある。支持板ブロック４一つ当たりの支持板３の枚数（或いは支持板ブロックの厚み）は、例えば据付現場における搬入経路に依存し、据付現場における搬入経路の最も狭隘な経路や最も窮屈な曲がり角を通して運搬できる程度がその最大値となる。勿論、それ以下でも良い。
【００１３】
復水器本体１は、蒸気タービン排気口１０に接続する連結胴１１、熱交換器ユニット２を収容する下部胴１２、連結胴１１から下部胴１２へ蒸気を案内する上部胴１３から構成される。下部胴１２の図１中の左右両側には、各冷却管５の両端部を支持する支持板である管板１４を介して区画された入口側及び出口側の水室１５が備えられている。また、下部胴１２の底部には凝縮後の復水を溜めるホットウェル１７が設けられている。
【００１４】
上部胴１３は、内部が真空になり外圧荷重が加わるため、外圧荷重を支えるための補強管２０を内部に備え十分な剛性を確保している。また下部胴１２には、復水器内の非凝縮性ガスを抽出するための空気集合管（又は空気集合ダクト）２１が冷却管５と平行に備えられている。空気集合管２１により集められた非凝縮性ガスは、空気集合管２１に接続された空気抜ダクト２２を通って復水器外の空気抽出装置（図示せず）へ導かれる。
【００１５】
図３は図２と反対方向から見た支持板ブロック４の概略構成図、図４は図１と同方向から見た支持板ブロック４の概略構成図である。
図３及び図４において、図の煩雑防止のため冷却管５を挿通する貫通穴を図示省略しているが、実際には各支持板３の対応位置に冷却管５を挿通するための貫通穴が、挿通する冷却管５の本数分だけ穿設されている。
【００１６】
支持板ブロック４には一定の高さに並べて配設された複数の座屈防止ステー２５が複数段備えられている。これら座屈防止ステー２５及び前述した空気集合管２１は短管で構成されたその分割ピース２７が支持板ブロック４の各支持板３に挿通され溶接にて固定され、これにより複数の支持板３が互いに固定され支持板ブロック４を１つのブロックとして構成している。そして、隣接する支持板ブロック４同士が接続される際、互いの対応する空気集合管２１及び座屈防止ステー２５が接続され、隣接する支持板ブロック４同士が互いに固定される。本実施の形態では、必要に応じて座屈防止ステー２５の所定の段に仮設足場２６を積載する。
【００１７】
図５は空気集合管２１及び座屈防止ステー２５の概略構成を表した斜視図である。
この図５に示すように、座屈防止ステー２５及び空気集合管２１の分割ピース２７は予め支持板３に溶接されているが、その端部は両端に位置する支持板３からは突出せず、両端の支持板３の表面にほぼ面一の構成となっている。そして、分割ピース２７は中空構造となっていることから、その中に一回り小径の接続管２８を挿通しておく。接続管２８は分割ピース２７に出入りするようになっており、支持板ブロック４外への引出しと支持板ブロック４内への収納とが自在である。この接続管２８を隣接する支持板ブロック４の対応の分割ピース２７に差し込み溶接等により固定することで、隣接する支持板ブロック４同士が連結され固定される。
【００１８】
上記構成の本発明の復水器において熱交換器ユニット２を交換する場合、まず既設の熱交換器ユニットを取り外す。そして復水器本体部１に新たに熱交換器ユニット２を組み入れる際には、第１工程として、複数枚の支持板をユニット化して構成された複数の支持板ブロック４を復水器本体部１に順次組み入れて先に組み入れた支持板ブロック４に接合していく。このとき、必要に応じて途中で空気集合管２１に空気抜ダクト２２等を接続する。そして最後尾の支持板ブロック４の接合が終了した後、第２工程として、一列に並設された各支持板３の図示しない多数の貫通穴にそれぞれ冷却管３を挿通していく。その後、管板１４や水室５等を取り付けて復水器を組み上げる。
【００１９】
図６は本発明の一実施の形態に係る復水器における支持板ブロック４の組み入れ作業の様子の一例を表す図である。なお図６では先の図１と同方向から構造を図示しており、先の各図と同様の部分には同符号を付して説明を省略する。
復水器本体１（下部胴１２）内に組み入れられる支持板ブロック４は、図示したように冷却管５に平行に配設した仮設の（又は下部胴１２内に適宜設けた）レール３０に沿って走行する滑車３１等といった搬送手段に吊り下げて所定位置まで搬送されるようにすると、作業性が良く位置決めも容易である。
【００２０】
レール３０に沿って支持板ブロック４を移動させ、設置済みの前の支持板ブロック４（或いは管板１４）と溶接するときに前述した接続管２８を引き出し、前の支持板ブロック４の支持板３（或いは管板１４）と溶接する。支持板ユニット４の比較的下側に位置する座屈防止ステー２５の溶接が終了したら、溶接の終了した座屈防止ステー２５に仮設足場２６を載せ、この展開した仮設足場２６を作業スペースとして利用し、支持板ユニット４の比較的上側に位置する座屈防止ステー２５を溶接する。必要であれば、その後、その溶接済みの座屈防止ステー２５に仮設足場２６を展開し、さらに上側に位置する座屈防止ステー２５を溶接する。またこれに並行する形で、各支持板３と下部胴１２との溶接も適宜仮設足場２６を利用しつつ作業する。
【００２１】
ここで、従来、既設の復水器の熱交換器ユニットを交換する際等に問題となっていたのが、既設の発電設備には各機器やその配管、構造材等が複雑に配設され、復水器までの冷却管の搬入経路が狭隘である場合が多いことである。第一に、復水器の据付現場によっては、現場での復水器までの搬入経路が狭隘であるため組み上がった熱交換器ユニット又はそれを幾つかのユニットに分割した小管巣と呼ばれる状態のものを運搬することが困難である。第二に、熱交換器ユニットを幾つかの小管巣に分割するに際し冷却管も分割してしまうと、据付場所で搬入された小管巣同士を接続するときに管板と冷却管の接続作業を伴う。復水器には、規模によっては１つの熱交換器ユニットの管巣に極めて多数の冷却管が配されるため、管板と冷却管の接続作業には多大な労力及び時間を要する。
【００２２】
それに対し、本実施の形態の場合、現場の搬入経路に図７に示したような狭隘経路１００があっても、この狭隘経路１００の寸法を予め把握しておき、それに応じて支持板ブロック４の支持板３の枚数（又は厚み）を設定すれば、復水器の据付場所に熱交換器ユニット２の部品を滞りなく搬送することができる。例えば狭隘経路１００が矩形の場合、図示したように支持板ブロック４を狭隘経路１００の断面の対角線に沿わせて斜めの姿勢で運ぶのが最も効率的である。この場合、例えば狭隘経路１００の水平寸法Ｘと鉛直寸法Ｙとを把握しておけば、狭隘経路１００を通過可能な支持板ブロック４の最大厚みが分かる。したがって、その範囲内でなるべく多数枚の支持板３で支持板ブロック４を構成しておけば、熱交換器ユニット２の支持板３を最も効率的に搬入することができる。勿論、狭隘経路が矩形の場合以外でも、搬入経路の断面積のみならず経路の曲がり角や障害物がある搬入経路等を考慮した場合でも、同じことが言える。
【００２３】
このとき、本実施の形態においては、支持板ブロック４に接続管２８を設けているが、前述したように、接続管２８は分割ピース２７に出入り自在であり支持板ブロック４内に完全に収容することができる。したがって、あくまで両端に位置する支持板３同士の間隔（厳密にはそれに両支持板３の厚みを加えた寸法）と狭隘経路との寸法を比較して支持板ブロック４の最大厚みを設定することができる。
【００２４】
さらには、本実施の形態においては、以上のようにして支持板３を先に搬入し組み上げた後で、組み上がった支持板３に対して各冷却管５をそれぞれ挿通していくので、冷却管の細かな分割ピースの事前製作や多数の冷却管の接続作業が不要となる。よって、作業量が大きく低減され、熱交換器ユニットを交換する際の作業負担を大きく軽減することができる。
【００２５】
このように、本実施の形態によれば、発電設備内での熱交換器部品の搬入効率及び組立容易性を向上させることができる。
【００２６】
また、一枚の支持板３を単独で運ぶ場合を仮に考えると、一枚の支持板３では剛性が十分でなくその姿勢によっては大きく撓んでしまい甚だしい場合には変形してしまう恐れがないとは言えない。据付場所に搬入できても自立させられないばかりか、適当な場所に立てかけることすらできない場合もある。支持板３はほぼ鉛直な姿勢で復水器本体１に組み入れられるので、立った姿勢で仮置きすることができないと作業効率が悪くなる。
【００２７】
それに対し、本実施の形態では、座屈防止ステー２５等によって複数の支持板３を接続して支持板ブロック４を構成しているので、支持板ブロック４としての支持板３の剛性が十分に確保され、あらゆる姿勢での搬入が容易となる。しかも支持板ブロック４は複数の支持板３を並設したことによって適当な厚みが確保されているので自立可能である。そのため、据付場所まで搬入されたとき等に、前の支持板ブロック４の組み入れが完了するまでの間、立った姿勢で仮置きしておくことができる。そして立った姿勢で仮置きしておくことができるので、実際に復水器本体１に組み入れる作業への移行も円滑に行える。この点も作業性向上に大きく寄与する。加えて、座屈防止ステー２５は、設置後には冷却管５の流体力による振動を防止するサポートとしても機能する。
【００２８】
また、本実施の形態の場合、隣接する支持板ブロック４同士を接続するとき等の利便性を考慮して、支持板ブロック４に仮設足場２６が設けてある。支持板ブロック４を復水器本体１に組み付ける際、適当な段の座屈防止ステー２５の接続管２８を引き出してその上に適宜仮設足場２６を展開し、仮設足場２６を作業スペースとすることにより、座屈防止ステー２５及び空気集合管２１を他の支持板ブロック４（或いは管板１４）に溶接する際や支持板３を下部胴１２に溶接する際の作業性が向上する。またこの場合、別途足場を設置する必要もなく、足場組立てに要する作業量を軽減することもできる。本実施の形態では、仮設足場２６を座屈防止ステー２５に載置する構成を採っているので、仮設足場２６の組み立て作業は勿論のこと、所望の作業が終了した後の撤去作業も容易である。
【図面の簡単な説明】
【００２９】
【図１】本発明の一実施の形態に係る復水器の全体構造を表す一部透視側面図である。
【図２】本発明の一実施の形態に係る復水器の全体構造を表す図１中の右側から見た一部透視正面図である。
【図３】図２と反対方向から見た支持板ブロックの概略構成図である。
【図４】図１と同方向から見た支持板ブロックの概略構成図である。
【図５】本発明の一実施の形態に係る復水器に備えられた空気集合管及び座屈防止ステーの概略構成を表した斜視図である。
【図６】本発明の一実施の形態に係る復水器における支持板ブロックの組み入れ作業の様子の一例を表す図である。
【図７】狭隘な搬入経路に支持板ブロックを通過させる様子の一例を表した図である。
【符号の説明】
【００３０】
１      復水器本体部
２      熱交換器ユニット
３      支持板
４      支持板ブロック
５      冷却管
【図１】
2006194457.tif 000003
【図２】
2006194457.tif 000004
【図３】
2006194457.tif 000005
【図４】
2006194457.tif 000006
【図５】
2006194457.tif 000007
【図６】
2006194457.tif 000008
【図７】
2006194457.tif 000009